(57)【要約】【課題】獲得玉の一部を発行対象とした発行処理を容認した場合であっても、効果的に共有遊技を抑制し、円滑な遊技場経営を支援する遊技場用システムを提供する。【解決手段】遊技場用システムを構成する貸出装置は、分割カードを受付した場合には、受付ＩＤと分割ＩＤとが一致しない場合には（Ｃ３：ＮＯ）、共有遊技が禁止されている旨を報知する警告メッセージを表示する（Ｃ４）。このとき、他台で親カードが受付されている場合には（Ｃ５：ＹＥＳ）、分割先遊技者による返却操作（Ｃ６）、発行操作（Ｃ７）或いは移行操作（Ｃ８）の何れかがなされたかを判定し、遊技者間の交渉、或いは遊技場の従業員による注意などを可能にする。【選択図】図８
2010119756.tif 000002
【特許請求の範囲】
【請求項１】
複数の遊技機が設置される遊技場に設けられた遊技場用システムであって、
遊技者が獲得した遊技媒体である獲得媒体を計数する計数手段と、
前記計数手段が計数した獲得媒体数の一部、或いは全部を発行対象とし、当該発行対象となる獲得媒体数の内、遊技者の獲得媒体の一部である分割獲得媒体を発行対象とした分割発行操作に応じて、前記分割獲得媒体数を特定可能な記録媒体である分割記録媒体を発行する分割発行処理を行う発行手段と、
前記発行手段が前記分割発行処理を行った場合に、発行対象となる遊技者である分割元遊技者と、当該発行された分割記録媒体とを対応付する対応付処理を行う対応付手段と、
遊技機に対応して設けられ、前記発行手段が発行した記録媒体を受付する受付手段と、
遊技機に対応して設けられ、当該遊技機を遊技する遊技者の獲得媒体数を記憶する記憶手段と、
前記記憶手段に対応して設けられ、前記受付手段による記録媒体の受付に応じて前記記憶手段が記憶する獲得媒体数を更新する更新処理を行う更新手段と、
遊技機に対応して設けられ、前記記憶手段が記憶する獲得媒体数を対価として遊技者へと遊技媒体を払出する再遊技処理を行う再遊技手段と、
前記受付手段が前記分割記録媒体を受付した場合に前記更新処理、或いは前記再遊技処理を抑制する抑制処理を行う抑制手段と、
前記分割記録媒体が、当該分割記録媒体と前記対応付処理により対応付された分割元遊技者が遊技する遊技機とは異なる遊技機に対応して設けられた前記受付手段により受付された場合に、該分割記録媒体により特定される分割媒体数により、該分割元遊技者が遊技する遊技機に対応して設けられる前記記憶手段が記憶する獲得媒体数を、前記更新手段に更新させる移行処理を行う移行手段と、
を備えたことを特徴とする遊技場用システム。
【請求項２】
複数の遊技機が設置される遊技場に設けられた遊技場用システムであって、
遊技機に対応して設けられ、遊技者が獲得した遊技媒体である獲得媒体を計数する計数手段と、
遊技機に対応して設けられ、前記計数手段が計数した獲得媒体数の一部、或いは全部を発行対象とし、当該発行対象となる獲得媒体数の内、遊技者の獲得媒体の一部である分割獲得媒体を発行対象とした分割発行操作に応じて、前記分割獲得媒体数を特定可能な記録媒体である分割記録媒体を発行する分割発行処理を行う発行手段と、
前記発行手段が前記分割発行処理を行った場合に、発行対象となる遊技者である分割元遊技者と、当該発行された分割記録媒体とを対応付する対応付処理を行う対応付手段と、
遊技機に対応して設けられ、前記発行手段が発行した記録媒体を受付する受付手段と、
遊技機に対応して設けられ、当該遊技機を遊技する遊技者の獲得媒体数を記憶する記憶手段と、
前記記憶手段に対応して設けられ、前記受付手段による記録媒体の受付、及び前記計数手段による獲得媒体の計数に応じて前記記憶手段が記憶する獲得媒体数を更新する更新処理を行う更新手段と、
遊技機に対応して設けられ、前記記憶手段が記憶する獲得媒体数を対価として遊技者へと遊技媒体を払出する再遊技処理を行う再遊技手段と、
前記受付手段が前記分割記録媒体を受付した場合に前記更新処理、或いは前記再遊技処理を抑制する抑制処理を行う抑制手段と、
前記分割記録媒体が、当該分割記録媒体と前記対応付処理により対応付された分割元遊技者が遊技する遊技機とは異なる遊技機に対応して設けられた前記受付手段である分割先受付手段により受付された場合に、該分割元遊技者が遊技する遊技機に対応して設けられる発行手段に、前記記憶手段が記憶する全ての獲得媒体数を発行対象とした分割記録媒体である分割元記録媒体を発行させる分割発行処理を行わせる分割元発行処理を行う分割元発行手段と、
を備えたことを特徴とする遊技場用システム。
【請求項３】
遊技場の従業員が操作し、前記分割元記録媒体を受付する従業員操作手段を備え、
前記分割元発行手段は、分割元発行処理を行う場合に、分割元記録媒体を、前記分割先受付手段により受付された分割記録媒体である分割先記録媒体に対応付けた上で、当該分割元発行処理を行い、
前記従業員操作手段は、前記分割元記録媒体を受付した場合に、更に前記分割先記録媒体を受付することを条件として、前記抑制処理の対象とならない非抑制記録媒体を発行する再発行処理を行うことを特徴とする請求項２記載の遊技場用システム。
【請求項４】
分割元遊技者が遊技する遊技機に対応して設けられる前記発行手段に、前記記憶手段が記憶する全ての獲得媒体数を発行対象とした分割記録媒体である分割元記録媒体を発行させる分割発行処理を行わせる分割元発行処理を行う分割元発行手段と、
前記分割記録媒体が、当該分割記録媒体と前記対応付処理により対応付された分割元遊技者が遊技する遊技機とは異なる遊技機に対応して設けられた前記受付手段により受付された場合に、遊技者による、前記移行処理に対応した移行操作、及び前記分割元発行処理に対応した分割元発行操作を選択的に受付する操作手段と、を備え、
前記移行手段は、前記操作手段による移行操作の受付に応じて前記移行処理を行い、
前記分割元発行手段は、前記操作手段による分割元発行操作の受付に応じて前記分割元発行処理を行うことを特徴とする請求項１記載の遊技場用システム。
【請求項５】
前記抑制手段は、前記受付手段が前記分割記録媒体を受付した場合であっても、当該受付手段に対応する遊技機を遊技する遊技者が、当該分割記録媒体と対応付された前記分割元遊技者である場合には、前記抑制処理を行わないことを特徴とする請求項１から４の何れか一項記載の遊技場用システム。
【発明の詳細な説明】
【技術分野】
【０００１】
本発明は、複数の遊技機が設置される遊技場に設けられ、遊技者の獲得玉の一部を対象として獲得玉数を特定することが可能な記録媒体を発行する遊技場用システムに関する。
【背景技術】
【０００２】
近年、遊技場では、遊技により獲得した遊技媒体（獲得玉）を遊技に使用することを認める所謂無制限営業が一般化しつつある。また、一人の遊技者が獲得した獲得玉を複数の遊技者が共有して利用する所謂共有遊技も認められつつあり、共有遊技を支援する提案も見受けられる（例えば、特許文献１参照）。その一方で、遊技場の中には売上の減少等を理由として共有遊技を敬遠する遊技場も多数ある。
【特許文献１】特開２００４−１４１５２４号公報
【発明の開示】
【発明が解決しようとする課題】
【０００３】
ところで、遊技者は、獲得玉数を特定可能な記録媒体を発行して、発行した記録媒体と所望の景品とを交換するが、この記録媒体の発行に拘りを持つ遊技者もいる。例えば、遊技中にある程度の獲得玉について発行処理を行い、その記録媒体を手にして遊技することに安心感を覚える遊技者や、或いは、複数の記録媒体を景品に交換することで達成感を覚える遊技者等がいる。そのため、上記したような共有遊技を敬遠する遊技場であっても、このような遊技者の拘りには応えたいという遊技場もある。
【０００４】
しかしながら、上記遊技者の拘りに応えるために獲得玉の一部を発行対象とすれば共有遊技に拍車が掛かり、売上減少を招いて遊技場の経営に支障をきたすおそれがある。
本発明は上記事情に鑑みてなされたもので、獲得玉の一部を発行対象とした発行処理を容認した場合であっても、効果的に共有遊技を抑制し、円滑な遊技場経営を支援する遊技場用システムを提供することにある。
【課題を解決するための手段】
【０００５】
請求項１に記載した発明は、複数の遊技機が設置される遊技場に設けられた遊技場用システムであって、遊技者が獲得した遊技媒体である獲得媒体を計数する計数手段と、前記計数手段が計数した獲得媒体数の一部、或いは全部を発行対象とし、当該発行対象となる獲得媒体数の内、遊技者の獲得媒体の一部である分割獲得媒体を発行対象とした分割発行操作に応じて、前記分割獲得媒体数を特定可能な記録媒体である分割記録媒体を発行する分割発行処理を行う発行手段と、前記発行手段が前記分割発行処理を行った場合に、発行対象となる遊技者である分割元遊技者と、当該発行された分割記録媒体とを対応付する対応付処理を行う対応付手段と、遊技機に対応して設けられ、前記発行手段が発行した記録媒体を受付する受付手段と、遊技機に対応して設けられ、当該遊技機を遊技する遊技者の獲得媒体数を記憶する記憶手段と、前記記憶手段に対応して設けられ、前記受付手段による記録媒体の受付に応じて前記記憶手段が記憶する獲得媒体数を更新する更新処理を行う更新手段と、遊技機に対応して設けられ、前記記憶手段が記憶する獲得媒体数を対価として遊技者へと遊技媒体を払出する再遊技処理を行う再遊技手段と、前記受付手段が前記分割記録媒体を受付した場合に前記更新処理、或いは前記再遊技処理を抑制する抑制処理を行う抑制手段と、前記分割記録媒体が、当該分割記録媒体と前記対応付処理により対応付された分割元遊技者が遊技する遊技機とは異なる遊技機に対応して設けられた前記受付手段により受付された場合に、該分割記録媒体により特定される分割媒体数により、該分割元遊技者が遊技する遊技機に対応して設けられる前記記憶手段が記憶する獲得媒体数を、前記更新手段に更新させる移行処理を行う移行手段と、を備えたことを特徴とする。
【０００６】
請求項２に記載した発明は、複数の遊技機が設置される遊技場に設けられた遊技場用システムであって、遊技機に対応して設けられ、遊技者が獲得した遊技媒体である獲得媒体を計数する計数手段と、遊技機に対応して設けられ、前記計数手段が計数した獲得媒体数の一部、或いは全部を発行対象とし、当該発行対象となる獲得媒体数の内、遊技者の獲得媒体の一部である分割獲得媒体を発行対象とした分割発行操作に応じて、前記分割獲得媒体数を特定可能な記録媒体である分割記録媒体を発行する分割発行処理を行う発行手段と、前記発行手段が前記分割発行処理を行った場合に、発行対象となる遊技者である分割元遊技者と、当該発行された分割記録媒体とを対応付する対応付処理を行う対応付手段と、遊技機に対応して設けられ、前記発行手段が発行した記録媒体を受付する受付手段と、遊技機に対応して設けられ、当該遊技機を遊技する遊技者の獲得媒体数を記憶する記憶手段と、前記記憶手段に対応して設けられ、前記受付手段による記録媒体の受付、及び前記計数手段による獲得媒体の計数に応じて前記記憶手段が記憶する獲得媒体数を更新する更新処理を行う更新手段と、遊技機に対応して設けられ、前記記憶手段が記憶する獲得媒体数を対価として遊技者へと遊技媒体を払出する再遊技処理を行う再遊技手段と、前記受付手段が前記分割記録媒体を受付した場合に前記更新処理、或いは前記再遊技処理を抑制する抑制処理を行う抑制手段と、前記分割記録媒体が、当該分割記録媒体と前記対応付処理により対応付された分割元遊技者が遊技する遊技機とは異なる遊技機に対応して設けられた前記受付手段である分割先受付手段により受付された場合に、該分割元遊技者が遊技する遊技機に対応して設けられる発行手段に、前記記憶手段が記憶する全ての獲得媒体数を発行対象とした分割記録媒体である分割元記録媒体を発行させる分割発行処理を行わせる分割元発行処理を行う分割元発行手段と、を備えたことを特徴とする。
【０００７】
請求項３に記載した発明は、遊技場の従業員が操作し、前記分割元記録媒体を受付する従業員操作手段を備え、前記分割元発行手段は、分割元発行処理を行う場合に、分割元記録媒体を、前記分割先受付手段により受付された分割記録媒体である分割先記録媒体に対応付けた上で、当該分割元発行処理を行い、前記従業員操作手段は、前記分割元記録媒体を受付した場合に、更に前記分割先記録媒体を受付することを条件として、前記抑制処理の対象とならない非抑制記録媒体を発行する再発行処理を行うことを特徴とする。
【０００８】
請求項４に記載した発明は、分割元遊技者が遊技する遊技機に対応して設けられる前記発行手段に、前記記憶手段が記憶する全ての獲得媒体数を発行対象とした分割記録媒体である分割元記録媒体を発行させる分割発行処理を行わせる分割元発行処理を行う分割元発行手段と、前記分割記録媒体が、当該分割記録媒体と前記対応付処理により対応付された分割元遊技者が遊技する遊技機とは異なる遊技機に対応して設けられた前記受付手段により受付された場合に、遊技者による、前記移行処理に対応した移行操作、及び前記分割元発行処理に対応した分割元発行操作を選択的に受付する操作手段と、を備え、前記移行手段は、前記操作手段による移行操作の受付に応じて前記移行処理を行い、前記分割元発行手段は、前記操作手段による分割元発行操作の受付に応じて前記分割元発行処理を行うことを特徴とする。
【０００９】
請求項５に記載した発明は、前記抑制手段は、前記受付手段が前記分割記録媒体を受付した場合であっても、当該受付手段に対応する遊技機を遊技する遊技者が、当該分割記録媒体と対応付された前記分割元遊技者である場合には、前記抑制処理を行わないことを特徴とする。
【発明の効果】
【００１０】
請求項１に記載した発明によれば、分割処理により上記した遊技者の拘りに応えつつ、抑制処理により共有遊技も抑制出来、更に移行処理により、家族間等、親しい遊技者間における分割発行処理に対して、獲得玉を分割元遊技者に手間無く返却出来、円滑な遊技場経営を支援できる。
【００１１】
請求項２に記載した発明によれば、分割発行処理により上記した遊技者の拘りに応えつつ、抑制処理により共有遊技も抑制出来、更に分割元発行処理により、素性をよく知らず、凡そ分割記録媒体を金銭と交換するような遊技者間における分割発行処理に対して、分割元遊技者にも分割元発行処理により再遊技を抑制し、双方の遊技者に対して共有遊技が抑制されていることを効果的に知らしめ、以降の共有について抑制できる。この場合、違法になり得る記録媒体の売買をも抑制できる。
【００１２】
請求項３に記載した発明によれば、分割元記録媒体を受付した場合に、前記分割先記録媒体を受付することを条件として従業員が操作する従業員操作手段によって非抑制記録媒体が発行されるので、分割元遊技者は再遊技による遊技を行うために、従業員の元に出向くことになると共に、分割先記録媒体の受付のために分割先遊技者が従業員の元に出向くまで待つことになる。よって、分割元遊技者と分割先遊技者とが第３者である従業員を交えて交渉出来、分割元遊技者と直接交渉するのは避けたいと考える分割先遊技者にとって、従業員を介して交渉することが可能となる。この場合、従業員から共有遊技が禁止されている旨を双方の遊技者に対して与えることも出来、以降の共有遊技を効果的に防止出来る。
【００１３】
請求項４に記載した発明によれば、上述した分割元遊技者、又は分割先遊技者のような様々な遊技者に対して、柔軟に対応出来るようになる。
請求項５に記載した発明によれば、拘りを持った一人の遊技者が、翻意して分割記録媒体を再遊技に使用したいと思った場合であっても、容易に対応出来る。
【発明を実施するための最良の形態】
【００１４】
以下、本発明の一実施形態について図面を参照して説明する。
図１は、遊技場用システムの全体構成を概略的に示している。遊技場用システム５０では、遊技場としてのパチンコホール内に設置された複数の遊技機１に対応して貸出装置２が設置されていると共に、２台の遊技機１及び貸出装置２に対応して中継装置３が設置されている。中継装置３は、遊技機１、貸出装置２と接続されていると共に、ＬＡＮ１００を介して管理装置４及びＰＯＳ端末５（本発明でいう従業員操作手段）などと通信可能に接続されている。管理装置４は、例えばホール内の事務所などに設置され、ＬＡＮ１００及び中継装置３を介して遊技機１側（遊技機１、貸出装置２等）から送信される遊技信号を受信して遊技情報を管理する。ＰＯＳ端末５は、景品カウンタなどに配置されており、後述する持玉カードに情報を読み書き可能なカードリーダライタ６と接続されている。
【００１５】
遊技機１は、所謂デジパチとして周知の構成のものであり、払出された遊技玉（本発明でいう遊技媒体。以下、単に玉と略す）を受ける上部玉受皿７、この上部玉受皿７から溢れた玉或いは図示しないレバー操作により上部玉受皿７から落下した玉を受ける下部玉受皿８、上部玉受皿７の玉を盤面に発射するためのハンドル９が設けられている。また、各遊技機１の盤面には、始動口１０、始動口１０への入賞に応じて表示図柄が変動する表示部１１、この表示部１１に表示された図柄が大当たり図柄の場合に発生する大当たり時に開放する大入賞口１２等が設けられている。
【００１６】
貸出装置２は、遊技情報、残高或いは獲得玉などの各種情報の表示及び遊技者からの入力を受付するタッチパネル式の液晶表示部１３、及び獲得玉（本発明でいう獲得媒体）を計数する計数部１４（本発明でいう計数手段）から構成されている。貸出装置２は、ＣＰＵ等からなる制御部（本発明でいう発行手段、対応付手段、更新手段、再遊技手段、抑制手段、移行手段、分割元発行手段）、ＲＯＭやＲＡＭ等からなる記憶部（本発明でいう記憶手段）、信号を送受信するためのインターフェースからなる送受信部（本発明でいう移行手段、分割元発行手段）を有するマイクロコンピュータで構成され、例えばＲＯＭなどに記憶しているプログラムに基づいて液晶表示部１３や計数部１４などを制御している。また貸出装置２は、中継装置３及びＬＡＮ１００を経由して管理装置４、ＰＯＳ端末５、他の貸出装置２との間で遊技データなどの情報の送受信を実行している。
【００１７】
貸出装置２の上部には貨幣投入口１５が設けられており、貨幣の投入が可能に構成されている。貸出装置２の中央部には、遊技機１の上部玉受皿７よりやや上方の位置に玉払出口１６（本発明でいう再遊技手段）、及び玉払出口１６を覆うように取り付けられた払出ノズル１７が設けられている。玉払出口１６から払出された玉は、払出ノズル１７を経由して上部玉受皿７に供給される。この払出ノズル１７の上部には再遊技釦１８が設けられており、遊技者により再遊技釦１８が操作されると後述する再遊技処理が実行される。
【００１８】
貸出装置２の最下部に配置された計数部１４には、貸出装置２を軸に回動可能に設けられた案内腕１９と、この案内腕１９の先端に支持されている可動玉受皿２０とが設けられている。遊技によって獲得された玉は、一旦下部玉受皿８に玉が溜められ、遊技者が下部玉受皿８に設けられているレバー２１をスライド操作することにより可動玉受皿２０及び案内腕１９を経由して計数部１４へ送られて計数される。
【００１９】
貸出装置２には、液晶表示部１３の下方に全玉発行釦２２及び指定玉発行釦２３が、玉払出口１６の下方にカード挿入口２４（本発明でいう発行手段、受付手段）が設けられている。カード挿入口２４の奥には予め所定枚数（例えば５枚）のカードを収納（ストック）出来る収納部（ストッカ）が設けられており、全玉発行釦２２或いは指定玉発行釦２３の操作に応じてストッカに収納されているカード（ストックカード）に獲得玉の全部或いは一部（遊技者により指定された玉数）を記憶させて持玉カード２５（本発明でいう記録媒体）として発行する。以下、本明細書中においては、獲得玉の全部を対象として発行した持玉カード２５を「親カード」（本発明でいう非抑制記録媒体）、獲得玉の一部を対象として発行した持玉カード２５を「分割カード」（本発明でいう分割記録媒体）と称する。即ち、持玉カード２５を発行するカード挿入口２４、及びその発行処理を管理する制御部を主な構成要素として発行手段が構成されている。
【００２０】
上記のように構成された貸出装置２は、例えばＲＡＭなどに図２に示す貸出装置記憶領域を備えている。貸出装置記憶領域は、以下に示すように、「獲得玉」、「分割ＩＤ１」、「分割ＩＤ２」、「分割ＩＤ３」の４つの記憶領域で構成されている。
「獲得玉」＝遊技者の獲得玉数。計数部１４により計数された玉数（計数玉）、及び持玉カード２５の受付（カード挿入口２４への挿入）により加算される。再遊技玉の払出により減算される。持玉カード２５の発行対象となる最大値。
「分割ＩＤ」＝発行した分割カードＩＤ或いは受付した親カードに記憶されていた対応ＩＤ。尚、分割カードが複数発行される場合に備えて複数（１から３の３個）の記憶領域が設けられている。
【００２１】
図２の例では、遊技者の獲得玉が５２００玉、分割ＩＤが３００１であることが示されている。この貸出装置記憶領域は、親カードの発行時に初期化される。
一方、持玉カード２５は、図３に示す持玉カード記憶領域を備えている。持玉カード記憶領域は、以下に示すように、「カードＩＤ」、「獲得玉」、「分割フラグ」、「対応ＩＤ１」、「対応ＩＤ２」、「対応ＩＤ３」の６個の記憶領域で構成されている。
「カードＩＤ」＝持玉カード２５自体のＩＤ。
「獲得玉」＝遊技者の獲得玉（持玉カード２５に記憶されている獲得玉数）。
「分割フラグ」＝持玉カード２５が分割カードであるか否かを示すフラグ。分割カードの場合は「１」、それ以外（親カード）は「０」。
「対応ＩＤ」＝カード発行時の上述した「分割ＩＤ」。尚、「分割ＩＤ」と同様に複数（１〜３の３個）設けられている。
【００２２】
図３に例示されている持玉カード記憶領域は、獲得玉が３２００玉で、分割ＩＤが３００１の親カードのものである。この持玉カード記憶領域は、「カードＩＤ」以外は持玉カード２５の取込（受付）時に初期化される。なお、持玉カード２５（親カード及び分割カード）には、例えば磁気的な方法或いは電気的な方法など、周知の技術によりこれらの情報の記憶／初期化が行われる。
【００２３】
次に、上記構成の作用について説明する。
貸出装置２は、本発明に関連して基本処理、発行処理及び受付処理を周期的に実行している。
遊技にて玉を獲得した遊技者は、払出を受けた玉（以下、出玉という）を貸出装置２により計数する。具体的には、遊技により遊技機１から払出される出玉が多くなると、上部玉受皿７から溢れた出玉、或いは遊技者により移された出玉が下部玉受皿８に溜まっていく。さらに出玉が増えて下部玉受皿８にも出玉が溜まると、下部玉受皿８に設けられているレバー２１を操作することにより、出玉は可動玉受皿２０及び案内腕１９を介して計数部１４へと導かれて計数される。
【００２４】
図６は、貸出装置２による基本処理を示すフローチャートである。貸出装置２は、計数部１４に導かれた玉（以下、計数玉という）が有るか（Ａ１）、再遊技釦１８の操作が有るか（Ａ３）を判定している。計数部１４において計数玉を検知すると（Ａ１：ＹＥＳ）、獲得玉を加算する（Ａ２）。つまり、図２に示す貸出装置記憶領域が更新処理され、獲得玉がその都度加算される。
【００２５】
獲得玉を有した遊技者が再遊技玉の払出しを受ける場合は、再遊技釦１８を押下げる。貸出装置２は、遊技者による再遊技操作が有った場合には（Ａ３：ＹＥＳ）、貸出装置記憶領域に記憶されている獲得玉が０より大きいかを判定し（Ａ４）、０より大きい場合、つまり獲得玉が有る場合には（Ａ４：ＹＥＳ）、払出１単位（１２５玉）を上限とした獲得玉を再遊技玉として払出し（Ａ５）、再遊技玉数を図２に示す貸出装置記憶領域における獲得玉から減算（更新）する（Ａ６）。
貸出装置２は、以上のようにして再遊技処理を実行する。
このように、通常の遊技においては、貸出装置記憶領域に記憶されている獲得玉は、遊技者が出玉を獲得すると増加し、再遊技操作を実行すると減少する。即ち、遊技の結果、獲得した玉を示すことになる。
【００２６】
さて、遊技者は、遊技の終了時に一般的に獲得玉を記憶する持玉カード２５を発行して所望の景品と交換したり、或いは所謂貯玉として次回の遊技へ持ち越したりする。そのため、貸出装置２は、遊技者の獲得玉を記憶する持玉カード２５を発行する発行処理を実行する。
図７は、発行処理を示すフローチャートである。貸出装置２は、全玉発行操作が有るか（Ｂ１）、指定玉発行操作（本発明でいう分割発行操作）が有るか（Ｂ２）、後述する発行信号を受信したか（Ｂ３）を判定している。
【００２７】
遊技者は、全ての獲得玉を持玉カードに記憶する場合は、全玉発行釦２２を押下げる。貸出装置２は、全玉発行操作が有ると（Ｂ１：ＹＥＳ）、親カード発行処理を実行する（Ｂ５）。この親カード発行処理では、図２に示す貸出装置記憶領域の獲得玉及び分割ＩＤを、図３に示す持玉カード記憶領域の獲得玉及び対応ＩＤとして記憶し、分割フラグを「０」とした親カードが発行される。これにより、遊技者は、例えば親カードを景品カウンタに持参することで獲得玉と景品とを交換することが可能となる。
【００２８】
また、この親カードは、再遊技が可能なカードでもある。
図８は、受付処理を示すフローチャートである。貸出装置２は、親カードを受付したか（Ｃ１）、分割カードを受付したか（Ｃ２）、後述する移行信号を受信したか（Ｃ１３）を判定している。
遊技者は、親カードで再遊技する場合は、親カードを貸出装置２のカード挿入口２４に差し込む。貸出装置２は、親カードを受付ると（Ｃ１：ＹＥＳ）、親カードの持玉カード記憶領域に記憶されている分割ＩＤを貸出装置記憶領域に記憶し（Ｃ１１）、獲得玉を貸出装置記憶領域に記憶されている獲得玉に加算して（Ｃ１２）、親カードを取込む（Ｃ１０）。
【００２９】
このように、親カードによる再遊技は抑制処理されていないため、遊技者が親カード発行処理後に、翻意して遊技を終了せずに再度、同一の、或いは所謂台移動を目的として異なる貸出装置２にて親カードの受付処理を行っても、親カード発行処理前と同様の状態として遊技者に不便を感じさせることはない。
【００３０】
ところで、上述のようにカードの発行枚数に拘りを持つ遊技者や、勝ち（景品交換相当額≧投資金額）を確定させたい遊技者などを満足させることも遊技場にとってはサービスの一環として重要なことである。そのため、貸出装置２は、獲得玉のうち遊技者が指定する玉数を記憶する分割カードを発行することが可能になっている。
遊技者は、分割カードを発行する場合は、貸出装置２の指定玉発行釦２３を押下げる。貸出装置２は、図７に示す発行処理において、指定玉発行操作が有ると（Ｂ２：ＹＥＳ）、分割発行処理を実行する（Ｂ４）。この分割発行処理においては、遊技者が獲得した獲得玉の内、その一部（本発明でいう分割獲得媒体）を対象とした分割カードが発行される。
【００３１】
図４は、指定玉発行操作時に液晶表示部１３に表示される画面を示している。指定玉発行操作時には、メッセージ表示部Ｍ１、玉数指定釦Ｍ２、指定表示部Ｍ３、発行釦Ｍ４、クリア釦Ｍ５、及びキャンセル釦Ｍ６が表示される。メッセージ表示部Ｍ１には貸出装置記憶領域に記憶している獲得玉が発行可能な玉数（同図では５２００玉）として表示され、玉数指定釦Ｍ２のタッチ操作により指定表示部Ｍ３を更新する（同図では２０００玉に更新されている）。この状態で発行釦Ｍ４がタッチ操作されると２０００玉分の獲得玉を記憶した分割カードが発行される。
【００３２】
分割カード発行処理では、図２に示す貸出装置記憶領域の獲得玉及び分割ＩＤを、図３に示す持玉カード記憶領域の獲得玉及び対応ＩＤとして記憶（本発明でいう対応付処理）すると共に、分割フラグを「１」とした分割カードが発行される。このとき、持玉カード記憶領域は、獲得玉＝２０００玉、分割フラグ＝１、対応ＩＤ１＝３００１のように更新される。また、貸出装置２では、分割ＩＤ１に３００１が記憶されていることから、分割ＩＤ２に発行した分割カードのＩＤである０００２が貸出装置記憶領域に記憶され（貸出装置記憶領域が更新され）、分割カードと対応付けられる。なお、同図に示すクリア釦Ｍ５がタッチ操作されると指定表示部Ｍ３の玉数が「０」にクリアされて玉数の再指定が可能となり、キャンセル釦Ｍ６のタッチ操作があると分割発行処理を行わずに通常画面へと移行する。
【００３３】
このように、獲得玉の一部を対象とした分割カードの発行を行うことで、遊技者の拘りに応えることが可能となっている。
また、分割カードは、遊技者自身が分割カードを発行した発行元の貸出装置２で再遊技する場合には、再遊技が抑制されることはない。遊技者が分割カードを発行元の貸出装置２に差し込むと、貸出装置２は、図８に示す受付処理において、分割カードを受付して（Ｃ２：ＹＥＳ）、受付ＩＤ（分割カードの挿入時に持玉カード記憶領域から読み取ったカードＩＤ）が、貸出装置記憶領域に記憶されている分割ＩＤのいずれかに一致するかを判定する（Ｃ３）。一致する場合には（Ｃ３：ＹＥＳ）、分割カードの獲得玉が貸出装置記憶領域に記憶されている獲得玉に加算される（Ｃ１２。本発明でいう更新処理）。このとき、受付ＩＤに該当する分割ＩＤ、この場合分割ＩＤ２の０００２を貸出装置記憶領域から削除し、分割カードを取込む（Ｃ１０）。このため、遊技者自身が発行元の貸出装置２で分割カードを使用する場合には、不便さを感じることはない。
【００３４】
さて、遊技場にとっては、分割カードを共有遊技に利用されると本来有るはずの売上げが無くなることになる。そのため、遊技場としては、遊技者の拘りに対するサービスも重要ではあるものの、分割カードによる再遊技は敬遠したいことでもある。そこで、本実施形態の貸出装置２は、受付処理において、分割カードを用いた別の遊技者による再遊技を抑制するようになっている。
【００３５】
分割カードを発行した遊技者とは別の遊技者が分割カードを用いて再遊技を試みた場合、つまり分割カードを発行した貸出装置２とは別の貸出装置２（本発明でいう分割先受付手段）で分割カードを使用した場合には、貸出装置２は、分割カードに記憶されている受付ＩＤと貸出装置記憶領域に記憶されている分割ＩＤとが一致しないことから（Ｃ２：ＹＥＳ、Ｃ３：ＮＯ）、共有遊技の禁止を警告するメッセージを液晶表示部１３に表示する（Ｃ４）。この場合、図５（ａ）に示すように、液晶表示部１３には共有遊技禁止メッセージＭ７及びアイコンＭ８からなる警告メッセージＭ９が表示され、分割カードにより遊技を試みた分割先遊技者に共有遊技が禁止されていることが報知される。
【００３６】
貸出装置２は、警告メッセージＭ９を表示すると、親カードが遊技場内の何れかの貸出装置２に受付けられているか否かによって異なる処理を実行する。この場合、受付けられているかの判断は、他の検索対象となる全ての貸出装置２に対して、受付ＩＤ、及び自身のＩＤを特定可能な受付信号を送信し、受付信号を受信した貸出装置２において当該受付ＩＤを分割ＩＤとして記憶していれば、自身のＩＤを特定可能な該当台信号を送信元へと送信し、該当台信号を受信した送信元の貸出装置２にて、当該送信元のＩＤを該当台として特定する検索処理を実行する。そして、所定時間以内に該当台信号を受信すれば受付けられていると判定し、受信しなければ受付けられていないと判定する。尚、時間を設定せず、検索対象となる貸出装置２全てに対して１台ずつ問い合わせを行う等の検索処理による判定処理や、管理装置４にて全ての貸出装置２に対応する分割ＩＤを記憶して、そこから検索する構成としても良い。
【００３７】
貸出装置２は、親カードが何れの遊技機１でも使用されていない場合、つまり受付ＩＤを分割ＩＤとして記憶している別の貸出装置２が無い場合には（Ｃ５：ＮＯ）、受付した分割カードをそのまま返却する（Ｃ１６）。この場合、分割カードを使用した遊技者は、遊技をすることが不可能になる（抑制される）。このように、分割カードは、親カードとは異なり、対応する親カードを発行可能な貸出装置２、即ち、分割カード発行元であって親カード発行前の、或いは対応する親カードの受付を行い親カード発行前の貸出装置２、換言すると分割元遊技者が遊技する遊技機に対応する貸出装置２で受付されなかった場合の再遊技が禁止されている。
【００３８】
一方、貸出装置２は、受付ＩＤを分割ＩＤとして記憶している別の貸出装置２が有る場合には（Ｃ５：ＹＥＳ）、返却操作が有るか（Ｃ６）、発行操作が有るか（Ｃ７）、移行操作が有るか（Ｃ８）を判定し、何れかの操作が有るまで待機する。このとき、図５（ｂ）に示すように、警告メッセージＭ９に加えて、台番表示部Ｍ１０に分割元の台番、返却操作釦Ｍ１１、発行操作釦Ｍ１２及び移行操作釦Ｍ１３を表示する。
【００３９】
さて、遊技者が分割カードを所持するに到る過程には、例えば、親しいもの同士の間で分割カードを発行して渡した場合、売買目的で分割カードを発行した場合など様々な状況が考えられる。このとき、親しいもの同士であればすぐ返却すれば良いが、よく知らない他人との間で分割カードの譲渡が行われた場合には、分割カードを発行した遊技者と再度顔を合わせるのは避けたい、或いは逆に分割カードを発行した遊技者に詰め寄りたいなど、遊技者の心理状況は様々である。
【００４０】
そこで、本実施形態の遊技場用システム５０では、分割カードを挿入した遊技者（分割先遊技者）が、共有遊技が禁止されていることを認識したときに、分割カードを発行した遊技者（本発明でいう分割元遊技者）が遊技する台番を確認すること、及び分割元遊技者に対しての対応を発行処理、返却処理、移行処理から選択することが可能になっている。
【００４１】
（返却操作による対応）
分割先遊技者が遊技を諦める場合には、分割先遊技者は返却操作による対応を取ることができる。
貸出装置２は、図８に示す受付処理において、返却操作（返却操作釦Ｍ１１のタッチ操作）が有ると（Ｃ６：ＹＥＳ）、受付した分割カードをそのまま返却する（Ｃ１６）。分割カードは、単独での再遊技はできないものの、ＰＯＳ端末５にて受付することにより記憶している獲得玉に相当する景品との交換は可能である。そのため、返却操作を選択した遊技者は、ＰＯＳ端末５で分割カードを景品と交換することで損失を回避出来る。勿論、分割先遊技者が分割元遊技者に返却カードを持って、直接、売買した代金の返却を求める等の行為も可能となる。
【００４２】
（発行操作による対応）
分割先遊技者が、例えば分割元遊技者との交渉を望む場合には、発行操作による対応を取ることができる。
貸出装置２は、発行操作（発行操作釦Ｍ１２のタッチ操作）が有ると（Ｃ７：ＹＥＳ）、該当台（分割カードを発行した分割元）に設けられている別の貸出装置２に対して発行信号を送信し（Ｃ１５）、分割カードを返却する（Ｃ１６）。該当台に設けられている別の貸出装置２は、図７に示す発行処理において、発行信号を受信することから（Ｂ３：ＹＥＳ）、分割発行処理を実行する（Ｂ４）。このように分割元に対する発行操作（分割元発行操作）がなされると、獲得玉全てを対象とし、貸出装置記憶領域が記憶している全ての分割ＩＤを対応ＩＤとして記憶した分割カードを発行する分割元発行処理が実行される。この場合、分割元遊技者は、発行された分割カードを挿入して再遊技することは上述した通り出来ず、この分割発行処理により対応する親カードの発行も出来なくなるので、それ以上の遊技が不可能となる。
【００４３】
分割元発行処理により発行された分割カードは、従業員が操作するＰＯＳ端末５において、全ての分割カードが出揃った場合に、親カードとして再発行することが可能となっている。この場合、カードリーダライタ６で分割元遊技者が所持する分割カード（本発明でいう分割元記録媒体）と、分割先遊技者が所有する分割カード（本発明でいう分割先記録媒体）を受付して、全ての対応ＩＤを受付ＩＤとして受付することを条件として、互いの分割カードの獲得玉を合算した再遊技が抑制されていない親カードをカードリーダライタ６から発行する。このとき、分割元遊技者および分割先遊技者がＰＯＳ端末５へ出向いて親カードの再発行依頼をすることになるので、分割先遊技者は、ＰＯＳ端末５において、遊技場の従業員の立ち会いのもとで分割元遊技者と対面して交渉することが可能となる。
【００４４】
（移行操作による対応）
分割先遊技者が、例えば親しい者同士であって分割元遊技者に獲得玉を返却する場合には、移行操作による対応を取ることができる。
貸出装置２は、図８に示す受付処理において、移行操作（移行操作釦Ｍ１３のタッチ操作）が有ると（Ｃ８：ＹＥＳ）、貸出装置２は該当台に設けられている別の貸出装置２に対して獲得玉及び受付ＩＤを特定可能な移行信号を送信し（Ｃ９）、カードを取込む（Ｃ１０）。該当台に設けられている別の貸出装置２では、移行信号を受信することから（Ｃ１３：ＹＥＳ）、分割カードに記憶されている獲得玉を、貸出装置記憶領域に記憶している獲得玉に加算する（Ｃ１４）。このとき、別の貸出装置２では、受付ＩＤに該当する分割ＩＤを削除する。これにより、分割先遊技者は、分割カードに記憶されている獲得玉を分割元遊技者に返却することが可能となる。
【００４５】
以上に説明したように、本実施形態の貸出装置２によれば次のような効果を奏する。
分割カードを発行出来るので、遊技者の勝ちを確定した状態で遊技したいという思いや、出玉をカードに実体化した状態で遊技したいという思いや、沢山のカードを持って景品交換したいという思いに応えることが出来る。
分割カードでは再遊技処理が抑制されるので、上述した遊技者の思いに応えて分割カードを発行したとしても、効果的に再遊技（獲得玉を複数人にて使用する共有遊技）を抑制出来る。
【００４６】
返却操作により、分割元（台番）を確認した状態で、そのまま持玉カード２５を返却出来るので、共有遊技が禁止されていることを知らずに、他人から持玉カード２５（分割カード）を購入した場合においても、確認した分割元遊技者に対して詰め寄る等の行為を支援することが出来る。また、分割カードによる景品交換を可能にしているので、分割元遊技者との交渉がうまくいかなかった場合などであっても、分割先遊技者の損失を抑制することが出来る。
【００４７】
発行操作による分割元の獲得玉についての分割発行処理後、従業員が操作するＰＯＳ端末５にて全ての分割カードが出揃うことを条件として再遊技が可能となる親カードを再発行するので、他人から分割カードを購入したが、直接、代金の返却交渉は避けたいという遊技者にも対応可能となる。即ち、発行操作に応じて分割元では分割カードが発行されるので、再遊技、つまりそれ以上の遊技が出来なくなりＰＯＳ端末５へと再発行処理を依頼に行く。再発行処理では、分割カードが出揃うことを条件とするので、少なくとも発行操作を行った遊技者が所持する分割カードが必要となる。よって、従業員、即ち第三者を介した交渉の場を設けることが可能となる。また、従業員が直接遊技者に対して共有遊技の禁止を注意出来るので、遊技者間のトラブルを防止しつつ、共有遊技の抑制効果も維持出来る。この場合、分割カードの発行操作を行った遊技者（分割元遊技者）には持玉カード２５（親カード）が返却されるので、景品交換により遊技者の損失を抑制することが出来る。
【００４８】
移行操作により、共有遊技が禁止されていくことを知らずに家族間等で分割カードを発行した場合に、手間無く分割元遊技者に獲得玉を返却することが出来る。
返却操作、発行操作、移行操作を分割先遊技者が選択出来るため、例えば分割元遊技者と直接対面したい、或いは逆に直接交渉は避けたいなどの分割先遊技者の様々な思いにも応えることが可能となる。
受付処理において、分割カードを受付した場合に、受付ＩＤ＝分割ＩＤであれば、そのまま獲得玉を加算するので、分割カードを発行した遊技者が獲得玉を使用し尽くして翻意しても、発行済みの分割カードを受付するだけで容易に遊技を継続出来、むやみに稼動制限を掛ける虞も無くなる。また、分割元遊技者と分割先遊技者との交渉成立後に分割カードを受付するだけで分割カードとの合算（獲得玉の加算）も可能となる。
【００４９】
本発明は、上記した実施形態に限定されることなく、次のように変形または拡張することができる。
再遊技処理を抑制する構成としてカードの受付を行わない構成を例示したが、それ以外にも、カードを受付した上で再遊技を禁止したり、実施形態のような再遊技玉数と同数の獲得玉を減算する等価返却ではなく、再遊技玉数よりも所定の手数料玉数分多くの獲得玉を減算する割引返却を行う等、他の抑制する構成を採用しても良い。勿論、受付処理による獲得玉加算（本発明でいう更新処理）について、その加算を禁止したり、所定の手数料玉を減算した上で加算する割引更新処理を行ったりして抑制しても良い。
【００５０】
発行或いは受付時にカードＩＤを読み取り、カードＩＤを記憶した（即ち、実施形態ではカードＩＤを採番せずに読取したＩＤを対応カードＩＤ等に記憶する構成とした）が、発行毎に採番し、採番した番号によって分割カードか否かを判定すれば、分割フラグを省略出来る。また、この場合も含めて、カードＩＤやカードが記憶する獲得玉等の情報を管理装置４においても管理する構成としても良い。勿論、カードにはＩＤだけを記憶させ、その他の情報は管理装置４にて管理する、所謂背番号管理としても良い。
【００５１】
持玉カード記憶領域の設け方等はどのような構成としても良い。例えば、分割カードに対応付けて分割元の台番を記憶すれば分割元の台番を検索処理する負担が軽減出来る等の効果も見込める。また、分割元発行処理時に親カードを特定すれば分割カードに対応付けて親カードのカードＩＤを記憶させ、図２に示す分割ＩＤを省略することも可能である。
図８に示す受付処理において、発行処理、返却処理、移行処理の選択式としたが、２つの内いずれかの選択式としたり、いずれか１つを分割カードの受付に応じて行ったりする構成も遊技場の希望に応じて適宜行えば良い。
【００５２】
計数手段として遊技機１毎に対応する所謂台毎計数を例示したが、複数の遊技機１に対応して設けられる所謂島端計数機にて本案を採用しても良い。この場合、遊技中の遊技者による「３箱分計数して欲しい」等の従業員に対する依頼に応じて従業員が計数し、従業員リモコンによる操作に応じて遊技中の台番を指定して分割カードを発行するような構成を例示出来る。
分割元発行処理を行う条件として実施例及び変形例で説明したような操作以外に、遊技機１側から持玉を特定可能な信号（所謂使用玉、払出玉、貸出玉と特定可能なアウト信号、セーフ信号、売上げ信号等）を受信して、持玉よりも設定数以上少ない獲得玉を発行することを条件として分割発行処理を行うことも可能で有る。何を条件とするかは遊技場の状態に応じて適宜設定すれば良く、この条件の成立の成否により同一の発行操作が行われた場合であっても、分割発行操作と、全発行操作を区別しても良い。
【００５３】
ＰＯＳ端末５において、全ての対応ＩＤを受付ＩＤとして受付することを条件として親カードを再発行したが、分割元発行操作時に返却される分割カードと、全ての分割カードではなく、分割発行処理により発行させる分割元遊技者の分割カードの双方、即ち当事者のみのカード受付を条件としても良い。
各設定値などは例示であり、どのような数値でも良い。また、デフォルト設定にて変更出来なくとも良い。
所謂会員システムに適用しても良い。この場合、所謂当日分の貯玉が獲得玉に相当する。
【００５４】
持玉カード２５等の記憶媒体はカード以外に、コインや紙等の媒体を想定出来る。尚、媒体が紙の場合はバーコード等を印字し、それをスキャニングして受付すればよい。
貸出装置２における処理の一部を管理装置４や中継装置３で行っても良いし、管理装置４の処理の一部を貸出装置２や中継装置３にて行っても良い。この場合、貸出装置２から貸出信号を受信して遊技情報を特定することになる。
対象となる遊技機もパチンコ遊技機だけでなく、スロットマシン等の遊技機を対象としても良い。同様に遊技媒体についても、玉だけでなくメダル等の媒体を採用出来る。
【図面の簡単な説明】
【００５５】
【図１】本発明の一実施形態による遊技場用システムの概略を示す全体構成図
【図２】貸出装置記憶領域の一例を示す図
【図３】持玉カード記憶領域の一例を示す図
【図４】指定玉発行処理時の液晶表示部の画面表示を示す図
【図５】共有遊技禁止を報知する液晶表示部の画面表示を示す図
【図６】基本処理を示すフローチャート
【図７】発行処理を示すフローチャート
【図８】受付処理を示すフローチャート
【符号の説明】
【００５６】
図面中、１は遊技機、２は貸出装置（発行手段、対応付手段、更新手段、再遊技手段、抑制手段、移行手段、分割元発行手段、記憶手段）、５はＰＯＳ端末（従業員操作手段）、１３は液晶表示部（情報表示手段）、１４は計数部（計数手段）、１６は玉払出口（再遊技手段）、２４はカード挿入口（発行手段、受付手段）、５０は遊技場用システムを示す。
【図１】
2010119756.tif 000003
【図２】
2010119756.tif 000004
【図３】
2010119756.tif 000005
【図４】
2010119756.tif 000006
【図５】
2010119756.tif 000007
【図６】
2010119756.tif 000008
【図７】
2010119756.tif 000009
【図８】
2010119756.tif 000010